(57)【特許請求の範囲】
【請求項１】
主脚と該主脚に沿って摺動自在な伸縮脚とから成る伸縮脚装置に関して、前記主脚と伸縮脚の一方に前記摺動方向に列設された多数のラック歯(7a)を設け、他方に固定された固定部(8)から前記ラック歯に向けて主レバー(14)の係止歯(23)を係脱自在に係止させる伸縮ロック装置であり、
前記主レバー(14)は、前記固定部に設けた主軸(13)を介して正逆回動自在に軸支され、正転方向(A1)に回動されたとき前記係止歯をラック歯に係止させると共に、逆転方向(A2)に回動されたとき前記係止歯をラック歯から離脱させ、前記固定部の弾支手段(28)に弾接されたスプリング(17)により正転方向(A1)に弾発付勢されており、
前記主レバー(14)に副軸(15)を介して該主レバーの被動部(22)に当接する可動位置(P1)と前記被動部(22)から離間する不可動位置(P2)の間で正逆回動自在に軸支された副レバー(16)を設け、該副レバーは、前記可動位置(P1)に回動されたとき前記主レバーを逆転方向(A2)に回動可能とし、前記不可動位置(P2)に回動されたとき、前記主レバーを逆転方向(A2)に回動不能にロックするレバーロック手段(30)を備えて成る構成において、
前記副レバー(16)は、前記副軸(15)を中心として所定半径(R)を有する円周(C)の上で、前記弾支手段(28)に臨む個所をロック位置(M1)とし、前記主軸(13)の外周面に交差する個所を圧接位置(M2)として、前記円周に沿う当接面(35)を有する可撓性の舌片(31)を設けており、
前記舌片(31)は、副レバーの回動により前記圧接位置(M2)に移動したときは前記当接面を主軸の外周面に圧接することにより変形し、前記副レバーを可動位置(P1)に回動したときは主軸を乗り越えクリック復元することにより可動位置の位置決め手段(31b)を形成し、前記副レバーを不可動位置(P2)に回動したときは主軸を乗り越えクリック復元することにより不可動位置の位置決め手段(31a)を形成するように構成されて成ることを特徴とする伸縮脚装置における伸縮ロック装置。
【請求項２】
前記舌片(31)は、前記副レバー(16)を不可動位置(P2)に回動したとき前記ロック位置(M1)に移動することにより前記レバーロック手段(30)を構成して成ることを特徴とする請求項１に記載の伸縮脚装置における伸縮ロック装置。
【請求項３】
前記副レバー(16)は、前記副軸(15)に軸支された軸受板(29)を備え、該軸受板から前記舌片(31)を延設しており、
前記軸受板(29)と舌片(31)の間に周溝(34)を形成すると共に、前記舌片(31)を軸受板(29)に対して前記副軸(15)の軸方向に偏位させて成ることを特徴とする請求項１又は２に記載の伸縮脚装置における伸縮ロック装置。
【発明の詳細な説明】
【技術分野】
【０００１】
本発明は、脚立や、作業台や、梯子等の高所作業装置に設けられた伸縮脚装置における伸縮ロック装置に関する。
【背景技術】
【０００２】
従来、脚立等の高所作業装置における伸縮脚装置は、主脚と、該主脚に沿って摺動自在な伸縮脚とから成り、前記伸縮脚に前記摺動方向に列設された多数のラック歯を設けると共に、前記主脚に取付けたブラケットに前記ラック歯に対し係脱自在に係止する係止歯を備えた主レバーを設け、これにより伸縮ロック装置を構成している。
【０００３】
そこで、伸縮ロック装置の係止を解除し、伸縮脚を摺動することにより、脚体を所定の長さとした状態で、伸縮ロック装置を再び係止すれば、作業者の搭乗位置を所望の高さとした状態で高所作業を行うことができる。
【０００４】
前記主レバーは、主軸を介して正逆回動自在に軸支され、常時、スプリングにより係止歯をラック歯に係止する正転方向に弾発付勢されており、更に、該主レバーには、副軸を介して回動自在に軸支された副レバーを設けることが好ましい。
【０００５】
前記副レバーは、主レバーの被動部に当接する可動位置と前記被動部から離間する不可動位置の間で正逆回動自在とされている。
【０００６】
そこで、前記副レバーを可動位置に回動した状態で、該副レバーの尾端部に形成された摘み片をユーザが指先で押動すると、該副レバーと共に主レバーをスプリングに抗して容易に逆転方向に回動させることができ、伸縮ロック装置の係止解除のための操作性を良好とする。
【０００７】
その一方で、前記副レバーを不可動位置に回動したとき、該副レバーに設けられたストッパと、前記ブラケットに設けたアームが相互に臨まされるように構成されており、これにより、主レバーを逆転不能にロックする。つまり、前記ストッパとアームにより主レバーの逆転を阻止するレバーロック手段が構成され、作業中、不慮に伸縮ロック装置が係止解除される危険を防止している。
【先行技術文献】
【特許文献】
【０００８】
【特許文献１】特開２０１１−２２６０６１号公報
【発明の概要】
【発明が解決しようとする課題】
【０００９】
本出願人が先に提案した特許文献１によれば、前記副レバーを設けることにより、伸縮ロック装置の係止を解除するための主レバーの操作が容易であり、しかも、係止時には主レバーの逆転を阻止するレバーロック手段により安全を確保する利点がある。
【００１０】
しかしながら、従来技術を完成度の高いものとするためには、更に改良を加えることが好ましい。例えば、上述の構成の場合、伸縮ロック装置の設計及び製造に関連して、前記レバーロック手段を構成する副レバーのストッパと、該ストッパを受止めるアーム付きのブラケットの相互において、所定の条件が必要なため、高所作業装置の全体の設計に制約が生じ、しかも、部品相互の組付けにも高精度の作業が求められる。更に、新たな課題として、現場のニーズからは、副レバーを可動位置と不可動位置に回動したとき、ユーザの指先にクリック感を与えることが望ましい。
【００１１】
本発明は、上記に鑑み、伸縮ロック装置の構成部品のうち、主レバー及び主軸と、副レバー及び副軸と、スプリングに関して、上記ブラケットの設計の制約を受けないユニット化が可能であり、しかも、該ユニットを所定の個所に取付けるだけで、上述のようなレバーロック手段を簡単に実現することができ、更に、ユニット自体により、副レバーの可動位置と不可動位置でのクリック感と位置決めを可能にした装置を提供するものである。
【課題を解決するための手段】
【００１２】
そこで、本発明が手段として構成したところは、主脚と該主脚に沿って摺動自在な伸縮脚とから成る伸縮脚装置に関して、前記主脚と伸縮脚の一方に前記摺動方向に列設された多数のラック歯を設け、他方に固定された固定部から前記ラック歯に向けて主レバーの係止歯を係脱自在に係止させる伸縮ロック装置であり、前記主レバーは、前記固定部に設けた主軸を介して正逆回動自在に軸支され、正転方向に回動されたとき前記係止歯をラック歯に係止させると共に、逆転方向に回動されたとき前記係止歯をラック歯から離脱させ、前記固定部の弾支手段に弾接されたスプリングにより正転方向に弾発付勢されており、前記主レバーに副軸を介して該主レバーの被動部に当接する可動位置と前記被動部から離間する不可動位置の間で正逆回動自在に軸支された副レバーを設け、該副レバーは、前記可動位置に回動されたとき前記主レバーを逆転方向に回動可能とし、前記不可動位置に回動されたとき、前記主レバーを逆転方向に回動不能にロックするレバーロック手段を備えて成る構成において、前記副レバーは、前記副軸を中心として所定半径を有する円周の上で、前記弾支手段に臨む個所をロック位置とし、前記主軸の外周面に交差する個所を圧接位置として、前記円周に沿う当接面を有する可撓性の舌片を設けており、前記舌片は、副レバーの回動により前記圧接位置に移動したときは前記当接面を主軸の外周面に圧接することにより変形し、前記副レバーを可動位置に回動したときは主軸を乗り越えクリック復元することにより可動位置の位置決め手段を形成し、前記副レバーを不可動位置に回動したときは主軸を乗り越えクリック復元することにより不可動位置の位置決め手段を形成するように構成されて成る点にある。
【００１３】
本発明の実施形態において、前記舌片は、前記副レバーを不可動位置に回動したとき前記ロック位置に移動することにより前記レバーロック手段を構成する。
【００１４】
好ましくは、前記副レバーは、前記副軸に軸支された軸受板を備え、該軸受板から前記舌片を延設しており、前記軸受板と舌片の間に周溝を形成すると共に、前記舌片を軸受板に対して前記副軸の軸方向に偏位させている。
【発明の効果】
【００１５】
本発明によれば、伸縮ロック装置９は、主レバー１４及び主軸１３と、副レバー１６及び副軸１５と、スプリング１７によるユニット化が可能であるから、高所作業台のブラケット等を含む固定部９に関する設計の制約を受けることがなく、ユニットとしての設計が簡単容易であり、しかも、該ユニットを固定部９の所定個所に取付けるだけで、レバーロック手段３０を簡単に実現することができるという効果がある。
【００１６】
特に、副レバー１６に可撓性の舌片３１を設けることにより、ユニット自体により、副レバー１６の可動位置Ｐ１と不可動位置Ｐ２でのクリック感を可能にすると共に、位置決め手段３１ａ、３１ｂを構成することが可能になるという利点がある。
【図面の簡単な説明】
【００１７】
【図１】本発明の伸縮ロック装置を備えた伸縮脚装置を実施した高所作業装置の１例としての脚立を示す斜視図である。
【図２】図１の矢印Ｅで示す部分を拡大して示す断面図である。
【図３】伸縮ロック装置の構成部品を分解状態で示す斜視図である。
【図４】本発明の１実施形態に係る伸縮ロック装置の構成部品を組付けた状態のユニットを示す斜視図である。
【図５】副軸に軸支された副レバーと、主軸と、弾支手段の関係を示しており、（Ａ）は斜視図、（Ｂ）は側面図、（Ｃ）はＡ−Ａ線断面図、（Ｄ）は舌片が主軸に圧接されることにより変形した状態を示す断面図である。
【図６】伸縮ロック装置の作用に関して、（Ａ）は副レバーが可動位置に回動させられた状態で主レバーがスプリングにより正転方向に弾発付勢された状態を示す断面図、（Ｂ）は副レバーの尾端部の摘み片を押動することにより主レバーをスプリングに抗して逆転させた状態を示す断面図である。
【図７】伸縮ロック装置の作用に関して、（Ａ）は副レバーを可動位置から不可動位置に向けて回動させることにより舌片を圧接位置に移動した状態を示す断面図、（Ｂ）はＢ−Ｂ線拡大断面図である。
【図８】伸縮ロック装置の作用に関して、（Ａ）は副レバーを不可動位置に回動させた状態を示す断面図、（Ｂ）は舌片をレバーロック手段として有効に機能させる拘束手段を示す断面図である。
【発明を実施するための形態】
【００１８】
以下図面に基づいて本発明の好ましい実施形態を詳述する。
【００１９】
図面は、高所作業装置の１例として脚立を示している。しかしながら、本発明は、脚立に限らず、作業台や梯子等のように、作業者が高所で作業を行うための高所作業装置であれば良く、広範囲に実施可能であることを諒解されたい。
【００２０】
図１に例示する脚立は、左右に配置される第１脚体１ａと第２脚体１ｂを備えており、両脚体１ａ、１ｂの上端部を相互に枢結手段（図示省略）により枢結することにより、開閉可能に構成され、開いた状態で連結される係脱自在な開き止め装置２を設けている。
【００２１】
第１脚体１ａ及び第２脚体１ｂは、それぞれ一対の脚柱１ｃ、１ｃの間に天板３と複数の踏桟４ａ、４ｂを架設した梯子状に形成され、各脚柱１は、主脚５と、該主脚５に摺動自在に嵌挿された伸縮脚６により、伸縮脚装置を構成している。
【００２２】
図２に示すように、伸縮脚６には、前記摺動方向に列設された多数のラック歯７ａを有する帯状のラック７が設けられており、主脚５には、該主脚５に固定された固定部８から前記ラック７の歯７ａに係脱自在に係止する伸縮ロック装置９が設けられている。図例の場合、主脚５の下端近傍部にブラケット１０を介して下側の踏桟４ａが固設されており、該ブラケット１０と踏桟４ａの両者により前記固定部８が構成されている。
【００２３】
前記主脚５、伸縮脚６、踏桟４ａは、それぞれアルミニウムの押出材により形成されている。前記主脚５は、前記脚柱１ｃの内側に向けて開口する断面溝形部材により形成され、下端部にガイド筒体１１を固着しており、前記伸縮脚４ａは、角筒状に形成され、前記ガイド筒体１１を挿通して主脚５の内部に嵌挿され、前記ラック７を主脚５の溝部に臨ませている。
【００２４】
前記踏桟４ａは、概ね角筒状に形成され、下面に平行なレール状のリブ１２、１２を突設しており、該踏桟４ａの端部を前記主脚５の溝部に臨ませた状態で、該主脚５の両外側面に前記ブラケット１０、１０により固着されている。
【００２５】
尚、ラック７と伸縮ロック装置９に関して、図示実施形態は、ラック７を伸縮脚６に設け、伸縮ロック装置９を主脚５の固定部８に設けた構成を示しているが、反対に、ラック７を主脚５に設け、伸縮ロック機構９を伸縮脚６の固定部に設けても良く、要するに、主脚５と伸縮脚６を相対的に伸縮方向に摺動自在に嵌合し、固定部の側からラック歯７ａに係脱自在に係止する伸縮ロック装置９を設ける構成であれば良い。
【００２６】
（伸縮ロック装置）
図２ないし図４に示すように、伸縮ロック装置９は、前記固定部８に主軸１３を介して正逆回動自在に軸支される主レバー１４と、該主レバー１４に副軸１５を介して正逆回動自在に軸支される副レバー１６と、前記主レバー１４を正転方向に弾発付勢するスプリング１７により、ユニット化を可能とするように構成されている。
【００２７】
（主レバー）
前記主軸１３は、前記ブラケット１０、１０の軸孔１８、１８の間に配置されるパイプ軸１３ａにより構成され、該パイプ軸１３ａを挿通するボルト等の取付軸１９によりブラケット１０、１０に取着される。前記主レバー１４は、主軸１３と一体に取付軸１９の廻りを回動するように構成しても良いが、図示実施形態では、主軸１３の廻りを回動するように構成されている。
【００２８】
前記主レバー１４は、前記主軸１３に軸支された軸受部２０と、該軸受部２０から前記ラック７に向けて延びるアーム２１と、前記踏桟４ａの下面に向けて延びる被動部２２を備えており、前記アーム２１に係止歯２３を設けると共に、前記軸受部２０と被動部２２の間に前記副軸１５を挿通支持する挿通部２４を設けている。
【００２９】
前記スプリング１７は、主レバー１４の両側に位置して前記主軸１３に外挿される一対のコイル部２５、２５と、両コイル部の一端部から延びて門形に連結された付勢部２６と、他端部から延びる弾支部２７を備えており、前記付勢部２６を主レバー１４の被動部２２の上面に当接すると共に、前記弾支部２７を踏桟４ａの下面により構成された弾支手段２８に弾接するように構成されている。
【００３０】
図２及び図４に示すように、主軸１３を取付軸１９によりブラケット１０、１０に取付けた状態において、主レバー１４は、前記被動部２２をスプリング１７により図示矢印Ｄで示すように押し下げられることにより、正転方向Ａ１に向けて回動付勢され、アーム２１の係止歯２３をラック７のラック歯７ａに係止している。そこで、前記被動部２２をスプリングに抗して矢印Ｕで示すように押し上げられると、逆転方向Ａ２に回動することにより、前記係止歯２３をラック歯７ａから離脱する。
【００３１】
（副レバー）
前記副レバー１６は、主レバー１４の挿通部２４に挿通された副軸１５の両端部に軸支される一対の軸受板２９、２９と、該軸受板２９の外周部に設けられたレバーロック手段３０及び舌片３１と、前記軸受板２９から延設された板状のアーム３２を備えており、該アーム３２の上面に凹部３３を形成している。
【００３２】
図２及び図４に示すように、副レバー１６は、前記副軸１５を介して正転方向Ｂ１と逆転方向Ｂ２に回動自在に軸支され、前記アーム３２の凹部３３に前記主レバー１４の被動部２２を受入れた状態で当接させられた可動位置Ｐ１（図６参照）と、前記アーム３２を前記被動部２２から離間する不可動位置Ｐ２（図８参照）との間で回動自在である。
【００３３】
副レバー１６を図２に示す可動位置Ｐ１に回動させた状態において、前記アーム３２が主レバー１４の被動部２２の下面にオーバラップされており、主レバー１４を逆転方向Ａ２に回動させるための操作片として機能する。つまり、前記係止歯２３をラック歯７ａから離脱させるときは、ユーザが指先で板状のアーム３２を押し上げることにより、主レバー１４をスプリング１７に抗して容易に回動させることができる。
【００３４】
前記副レバー１６は、可撓性プラスチック素材で一体成形され、上述のように前記軸受板２９の外周部に舌片３１を設けている。図５に示すように、軸受板２９と舌片３１の間には周溝３４が形成され、該舌片３１を軸受板２９に対して前記副軸１５の軸方向に偏位させている。図示実施形態の場合、一対の軸受板２９、２９の両外側に周溝３４を形成し、舌片３１、３１を外側に向けて傾斜状態で偏位させている。
【００３５】
図５（Ｂ）に示すように、舌片３１は、前記副軸１５を中心として所定半径Ｒを有する円周Ｃに関して、該円周上で前記踏桟４ａの下面の弾支手段２８に臨む個所をロック位置Ｍ１とし、前記主軸１３の外周面を交差する個所を圧接位置Ｍ２として、該円周Ｃに沿う当接面３５を形成している。そこで、舌片３１は、副レバー１６の回動により前記圧接位置Ｍ２に移動させられたときは、前記当接面３４を主軸１３の外周面に圧接することにより変形する。このため、副レバー１６を前記可動位置Ｐ１から不可動位置Ｐ２に向けて正転回動Ｂ１すると、舌片３１が変形を伴って主軸１３を乗り越えた後、クリック復元することにより不可動位置の位置決め手段を形成し、反対に、副レバー１６を不可動位置Ｐ２から可動位置Ｐ１に向けて逆転回動Ｂ２すると、舌片３１が変形を伴って主軸１３を乗り越えた後、クリック復元することにより可動位置の位置決め手段を形成する。
【００３６】
前記クリック復元とは、変形させられた状態から、触感によるクリック感を伴って瞬時に復元する動作であり、図５（Ｄ）に示すように、舌片３１は、当接面３５を主軸１３に圧接されたとき、軸受板２９に対して偏位させられた状態から、前記周溝３４を介して更に偏位する方向に変形し、圧接状態から解放されると、瞬時に復元する。
【００３７】
図示実施形態の場合、副レバー１６の軸受板２９は、前記舌片３１に対して、正転方向Ｂ１に隣り合う周突部３６を設けている。周突部３６は、副レバー１６を回動したとき、主軸１３の外周面に圧接されずに通過するように構成されており、図８（Ａ）に示すように、副レバー１６を不可動位置Ｐ２に回動したとき、前記舌片３１と周突部３６の両方が前記踏桟４ａの下面に形成された弾支手段２８に臨まされる。従って、図示実施形態の場合は、舌片３１と周突部３６の２個所により、主レバー１４を逆転方向Ａ２に向けて回動不能にロックするレバーロック手段３０が構成されている。しかしながら、レバーロック手段３０は、必ずしも舌片３１と周突部３６の両方により構成する必要はなく、少なくとも、何れか一方により構成すれば良い。
【００３８】
この際、舌片３１により構成されるレバーロック手段３０は、上述のように周溝３４を介して撓み変形可能なため、図８（Ｂ）に示すように、舌片３１をレバーロック手段３０として有効に機能させる拘束手段３７を設けることが好ましい。図例の場合、固定部８を構成する踏桟４ａの下面に突設した一対のレール状リブにより拘束手段３７、３７を構成しており、副レバー１６を不可動位置Ｐ２に回動したとき、舌片３１、３１を一対のリブから成る拘束手段３７、３７の間に進入させるように構成している。従って、この状態から主レバー１４と共に舌片３１を押上げ、固定部８の底面に押圧したときでも、舌片３１が変形することはなく、これにより、主レバー１４の逆転を好適に阻止する。
【００３９】
（作用）
図６ないし図８に伸縮ロック装置９の作用を示している。図６は、副レバー１６を可動位置Ｐ１に回動した状態を示しており、図６（Ａ）に示すように、主レバー１４は、スプリング１７の弾発付勢力を受けることにより、正転方向Ａ１に向けて付勢され、係止歯２３をラック歯７ａに係止し、伸縮脚６を摺動不能にロックした状態を示している。この状態から、図６（Ｂ）に示すように、副レバー１６のアーム３２を操作片として押上げると、主レバー１４をスプリング１７に抗して逆転方向Ａ２に回動させることができ、これにより伸縮脚６の摺動を可能にする。
【００４０】
伸縮脚６を摺動不能にロックした状態で、主レバー１４を逆転方向Ａ２に回動不能とするようにレバーロックするためには、副レバー１６を図８に示す不可動位置Ｐ２に向けて正転方向Ｂ１に回動する。
【００４１】
副レバー１６の回動途中において、舌片３１は、図７に示すように、主軸１３の外周面に圧接され、変形させられることにより、強い摩擦抵抗を生じる。従って、仮に、この状態で副レバー１６が停止させられたとしても、主レバー１４は、主軸１３に対して回動困難な状態とされ、スプリング１７に打ち勝つ外力が与えられた場合でも、逆転方向Ａ２に回動することはない。
【００４２】
副レバー１６を不可動位置Ｐ２に向けて更に回動すると、前記舌片３１が主軸１３を乗り越えるや否やクリック復元し、不可動位置Ｐ２の位置決め手段を構成する。図８に示すように、主軸１３を乗り越えた舌片３１の周方向端部が該主軸１３の外周面に臨むことにより位置決め手段３１ａを構成し、従って、副レバー１６は、簡単に逆転方向Ｂ２に回動しないように位置決めされる。
【００４３】
不可動位置Ｐ２に回動した状態で、副レバー１６の前記レバーロック手段３０が踏桟４ａの下面に形成された弾支手段２８に臨まされており、これにより、主レバー１４の逆転方向Ａ２の回動を阻止する。即ち、主レバー１４の逆転方向Ａ２の回動は、前記レバーロック手段３０が弾支手段２８に当接することにより阻止され、従って、主レバー１４の係止歯２３がラック歯７ａから離脱することはない。
【００４４】
ところで、伸縮脚６を伸縮するため、主レバー１４の係止歯２３をラック歯７ａから離脱させる必要があるときは、再び、副レバー１６を図６に示す可動位置Ｐ１まで回動させれば良いが、この場合も、回動途中において、舌片３１が主軸１３の外周面に圧接されつつ変形し、主軸１３を乗り越えるや否やクリック復元し、可動位置Ｐ１の位置決め手段を構成する。図６（Ａ）に示すように、主軸１３を乗り越えた舌片３１の周方向端部が該主軸１３の外周面に臨むことにより位置決め手段３１ｂを構成し、従って、副レバー１６は、簡単に正転方向Ｂ１に回動しないように位置決めされる。
【００４５】
上記のように構成された伸縮ロック装置９は、図４に示すように、主軸１３を介して正逆回動自在に軸支される主レバー１４と、該主レバー１４に副軸１５を介して正逆回動自在に軸支される副レバー１６と、前記主レバー１４を正転方向に弾発付勢するスプリング１７により、ユニット化が可能であり、クリック復元と位置決め手段３１ａ、３１ｂを構成する舌片３１は、該ユニットの設計に際して、主軸１３及び副軸１５の位置と、前記円周Ｃを考慮するだけで簡単容易に提供することができる。つまり、高所作業台の固定部８を構成する踏桟４ａ及びブラケット１０との関係を考慮しなければならないような制約を受けることがない。
【００４６】
そして、ユニット化された伸縮ロック装置９を取付けるに際しても、固定部８に対する主軸１３の取付位置（図示実施形態の場合、ブラケット１０の軸孔１８の位置）を考慮するだけで良く、スプリング１７を弾接させる弾支手段２８を利用することにより、レバーロック手段３０を機能させることが可能であり、取付けのために必要な作業も簡単容易である。
【符号の説明】
【００４７】
１ａ  第１主脚
１ｂ  第２主脚
１ｃ  脚柱
２  開き止め装置
３  天板
４ａ、４ｂ  踏桟
５  主脚
６  伸縮脚
７  ラック
７ａ  ラック歯
８  固定部
９  伸縮ロック装置
１０  ブラケット
１１  ガイド筒
１２  リブ
１３  主軸
１３ａ  パイプ軸
１４  主レバー
１５  副軸
１６  副レバー
１７  スプリング
１８  軸孔
１９  取付軸
２０  軸受部
２１  アーム
２２  被動部
２３  係止歯
２４  挿通部
２５  コイル部
２６  付勢部
２７  弾支部
２８  弾支手段
２９  軸受版
３０  レバーロック手段
３１  舌片
３１ａ  不可動位置の位置決め手段
３１ｂ  可動位置の位置決め手段
３２  アーム
３３  凹部
３４  周溝
３５  当接面
３６  周突部
３７  拘束手段
【図１】
0006656036.tif 000002
【図２】
0006656036.tif 000003
【図３】
0006656036.tif 000004
【図４】
0006656036.tif 000005
【図５】
0006656036.tif 000006
【図６】
0006656036.tif 000007
【図７】
0006656036.tif 000008
【図８】
0006656036.tif 000009